(57)【要約】      （修正有）【課題】首に掛けて使用でき、かつ、スタンド式ケース等の他の物品を要さずに、そのまま卓上に飾ることができるメダルを提供する。【解決手段】メダル本体２と、該メダル本体の下端に設けたヒンジ部３を支点として、該メダル本体の裏面側に開閉可能に支持されたホルダ部４と、前記メダル本体と前記ホルダ部とを所定の角度で保持可能で、かつ、その保持を解放可能としたロック手段とを具備し、前記ホルダ部は前記メダル本体より外形が小さく、かつ、十分に薄く形成されていて、前記メダル本体の裏面上に前記ホルダ部を保持したときには、メダルとしての外観を呈し、しかも、前記メダル本体に対して前記ホルダ部を所定の角度で保持したときには、前記メダル本体を卓上に載置可能とした。【選択図】図３
0003134968.tif 000002
【実用新案登録請求の範囲】
【請求項１】
メダル本体と、
該メダル本体の下端に設けたヒンジ部を支点として、該メダル本体の裏面側に開閉可能に支持されたホルダ部と、
前記メダル本体と前記ホルダ部とを所定の角度で保持可能で、かつ、その保持を解放可能としたロック手段とを具備し、
前記ホルダ部は前記メダル本体より外形が小さく、かつ、十分に薄く形成されていて、前記メダル本体の裏面上に前記ホルダ部を保持したときには、メダルとしての外観を呈し、しかも、前記メダル本体に対して前記ホルダ部を所定の角度で保持したときには、前記メダル本体を卓上に載置可能であることを特徴としたメダル。
【請求項２】
前記ヒンジ部が、
前記ホルダ部に嵌挿され、前記ホルダ部と一体化した回動軸と、
前記メダル本体の下端に設けられ、前記回動軸の略両端部を軸支する第１、第２の軸受部と、
前記回動軸に巻回され、一端が前記第２軸受部に、他端が前記ホルダ部に当接し、前記ホルダ部を前記第１軸受部側に付勢する弾性体とからなり、
前記メダル本体と前記ホルダ部が所定の角度を保ったときに、前記第１軸受部と前記ホルダ部のいずれかに設けられた嵌合凹部と他方に設けられた係止突起とが、前記弾性体の付勢力により嵌合されて保持され、前記回動軸の前記第１軸受部側端面を前記第２軸受側へ付勢することでその保持を解放することを特徴とする請求項１に記載のメダル。
【請求項３】
前記メダル本体と前記ホルダ部の対向する部位に配設された磁石の吸引力により、閉じ合わされた状態を保持することを特徴とする請求項１又は２に記載のメダル。
【考案の詳細な説明】
【技術分野】
【０００１】
本考案は、オリンピックメダルのように首に掛けて使用でき、かつ、卓上に飾ることができるメダルに関する。
【背景技術】
【０００２】
従来より、個人表彰に用いられる記念品メダルや、装飾品として身に付けるメダルは、一番人目を惹く胸元に身に付けて使用することを想定していたため、メダル本体には首掛けリボンが附属しているのみであった。
【考案の開示】
【考案が解決しようとする課題】
【０００３】
上述した従来型のメダルでは、首からはずした場合、卓上に裏面を下にして載置するか、首掛けリボンをフック等に掛けてぶら提げる以外に方法が無く、せっかくの記念品、装飾品もそれのみでは、観賞物としての使用は困難であるという課題があった。それゆえ、観賞物としてサイドボード等に飾る場合のために、別途スタンド式ケース等を準備しておかなければならないという課題があった（図８参照）。
【０００４】
本考案は、上述のような課題を解決する為になされたものであり、首に掛けて使用でき、かつ、スタンド式ケース等の他の物品を要さずに、そのまま卓上に飾ることができるメダルを提供するものである。
【課題を解決するための手段】
【０００５】
本考案に係るメダルは、メダル本体と、該メダル本体の下端に設けたヒンジ部を支点として、該メダル本体の裏面側に開閉可能に支持されたホルダ部と、前記メダル本体と前記ホルダ部とを所定の角度で保持可能で、かつ、その保持を解放可能としたロック手段とを具備し、前記ホルダ部は前記メダル本体より外形が小さく、かつ、十分に薄く形成されていて、前記メダル本体の裏面上に前記ホルダ部を保持したときには、メダルとしての外観を呈し、しかも、前記メダル本体に対して前記ホルダ部を所定の角度で保持したときには、前記メダル本体を卓上に載置可能とした。
【考案の効果】
【０００６】
本考案に係るメダルにおいては、首に掛けて使用でき、かつ、スタンド式ケース等の他の物品を要さずに、そのまま卓上に飾ることができる。
【考案を実施するための最良の形態】
【０００７】
以下、本実施の形態におけるメダルについて説明する。
【０００８】
図１は、本考案を実施する為の実施の形態におけるメダルの正面図である。図２は、図１におけるメダルの側面図である。図３は、図１におけるメダルの斜視図である。図４は、図１におけるメダルの縦断面図である。図５は、図１におけるメダルのヒンジ部の拡大展開図であり、図６は、図１におけるメダルのメダル本体とホルダを閉じ合わせた状態におけるヒンジ部の拡大透視図であり、図７は、図１におけるメダルのメダル本体とホルダとを所定の角度でロックした状態におけるヒンジ部の拡大透視図であり、図８は、従来技術のメダルの斜視図である。
【０００９】
図１〜図５において、１はメダルであり、メダル本体２、回動軸３、ホルダ４及びコイルスプリング５とから構成されている。以下、メダル１の構成要素について説明する。
【００１０】
メダル本体２は、表面に各人が適宜選択した図柄（ノセコという）を貼付するノセコ部２ａを有し、裏面に各人が所望の文字プレートを貼付するプレート部２ｂを有している。また、上部中央には、首掛けリボンを掛ける穴（ツボという）２ｃが形成され、下部中央には、略矩形状の切欠部２０を有し、その両サイドにしてメダル本体２の裏面には、軸受部２１、２２が形成されている。軸受部２１には、中心軸が一致するように一体化された円筒部２１ａ及び円筒部２１ｂが形成され、軸受部２２には、延在すると円筒部２１ａ及び円筒部２１ｂと中心軸が一致するように円筒部２２ａが形成されている。
【００１１】
尚、上記プレート部２ｂには、所望の文字を印字あるいは彫刻した文字プレートを貼付する方法の他、プレート部２ｂに直接文字を印字あるいは彫刻する方法を用いることもできる。
【００１２】
回動軸３は、第１の円柱部３ａと円柱部３ａより径が小なる第２の円柱部３ｂとが中心軸が一致するように一体化して形成されている。回動軸３は、円筒部２１ａ及び円筒部２１ｂに円柱部３ａ側端部を、円筒部２２ａに円柱部３ｂ側端部を嵌挿され、軸支される。円筒部２１ｂの内径は円柱部３ａの内径より小さく形成されているので、回動軸３の軸受部２２方向への移動は、円筒部２１ａと円筒部２１ｂの径差部により係止される。
【００１３】
ホルダ４は、全体形状がリング状をなし、その外径側縁部に、上記切欠部２０に収まる大きさの突設部４０を有している。突設部４０には、コイルスプリング５の端部が嵌合される円筒部４０ａと、コイルスプリング５の巻径より内径が小さい円筒部４０ｂとが中心軸が一致するように一体化して形成されている。円筒部４０ａ及び円筒部４０ｂには回動軸３の円柱部３ｂが挿通され、本実施の形態では、円筒部４０ｂに円柱部３ｂが嵌合されることにより、軸方向及び周方向に動かないように一体化されている。一体化の方法は螺合等でも良いが、本実施の形態による方がより強固に一体化できると共に、部品制作上も好ましい。
【００１４】
尚、本実施の形態では、ホルダ４の外形を、首から掛けて使用したときに正面視でメダル本体２に隠れる大きさで、かつ、側面視でメダル裏面の装飾として違和感のない厚さに形成することで、メダルとしての美感を損なわないようにすると共に、全体形状をリング状とすることで、メダル本体２の裏面上にホルダ４を保持したときにも、プレート部２ｂに貼付された文字プレートを視認できるようにしたが、本考案のメダルの効果を損なわない限り、特に上記形状に限定されるものではない。
【００１５】
コイルスプリング５は、上記切欠部２０に位置する回動軸３の円柱部３ｂに巻回遊嵌されている。コイルスプリング５の巻径の内径は、軸受部２２の円筒部２２ａ及び突設部４０の円筒部４０ｂの内径より大であり、これによりコイルスプリング５は、軸受部２２と円筒部４０ａと円筒部４０ｂの径差部により両端を固定され、その弾性力により一体化した回動軸３及びホルダ４を軸受部２１方向に付勢する。
【００１６】
また、軸受部２１には嵌合凹部２１ｃが、突設部４０には係止突起４０ｃが、メダル本体２とホルダ４が所定の角度を保ったときに対向する部位に形成されており、メダル本体２とホルダ４が閉じ合わさった状態（図２参照）から、ホルダ４を所定の角度まで開いたときに、コイルスプリング５の付勢力により嵌合凹部２１ｃと係止突起部４０ｃが嵌合されロックされる。ロックを解除するときは、押しボタンの要領で回動軸３の円柱部３ａ側端面を円柱部３ｂ側へ指圧することにより、容易に嵌合状態を解除することができる。
【００１７】
尚、係止突起４０ｃは回動軸３の円柱部３ｂの側面に形成しても良いが、本実施の形態のように、突設部４０に設けたほうが、部品の制作上より好ましい。
【００１８】
メダル本体２とホルダ４の所定の角度は、ホルダ４を卓上に載置したときに、メダル本体２が観賞物として人目を惹きやすい角度であれば良いが、３０〜８０°の範囲で選択するのが好ましく、より好ましくは５０〜７０°が良い。角度が小さすぎると、ホルダ４に加わる上方からの力によってヒンジ部が損傷しやすくなり、角度が大きすぎるとメダルが倒れて傷つくおそれがある。
【００１９】
さらに、メダル本体２とホルダ４には、ホルダ４をメダル本体２の裏面上に閉じ合わせた状態を保持するため、互いに対向する部位に磁石６が配設されている。これにより、本考案のメダルを首から掛けて使用しているときに、ホルダ４が勝手に開いてしまうのを防止できる。
【００２０】
以上の構成により、本考案に係るメダルは、首から掛けて使用したときにメダルとしての外観を損なうことがなく、かつ、家に持ち帰って飾るとき、あるいは、客先等で一時保管する場合においても、スタンド付きケース等の別品を要することなく、単独ですぐに飾ることができ、スタンド付ケースを保存しておく必要もない。
【図面の簡単な説明】
【００２１】
【図１】本考案を実施する為の実施の形態におけるメダルの正面図である。
【図２】図１におけるメダルの側面図である。
【図３】図１におけるメダルの斜視図である。
【図４】図１におけるメダルの縦断面図である。
【図５】図１におけるメダルのヒンジ部の拡大展開図である。
【図６】図１におけるメダルのメダル本体とホルダを閉じ合わせた状態におけるヒンジ部の拡大透視図である。
【図７】図１におけるメダルのメダル本体とホルダとを所定の角度でロックした状態におけるヒンジ部の拡大透視図である。
【図８】従来技術のメダルの斜視図である。
【符号の説明】
【００２２】
１  メダル
２  メダル本体
３  回動軸
４  ホルダ
５  コイルスプリング
６  磁石
【図１】
0003134968.tif 000003
【図２】
0003134968.tif 000004
【図３】
0003134968.tif 000005
【図４】
0003134968.tif 000006
【図５】
0003134968.tif 000007
【図６】
0003134968.tif 000008
【図７】
0003134968.tif 000009
【図８】
0003134968.tif 000010